(57)【要約】【課題】グリル装置の前扉に設けた把手の突出量を少なく抑え、かつ、前扉の部品点数を削減する。【解決手段】誘導加熱調理器１に設けたグリル装置２０の前面に形成した開口２３に対して開閉可能に設置される前扉３０において、該前扉３０の把手部４５を前カバー４１の前面４１ａに一体形成した。把手部４５を前カバー４１に一体形成したことで、把手部４５が前扉３０の前面３０ａから手前側へ突出する突出量を少なく抑えることが可能となる。したがって、把手部４５が調理者の身体に接触し難くなり、調理作業の邪魔にならずに済むようになる。また、前扉３０の部品点数を少なく抑えることができるので、グリル装置２０の部品点数の削減及び組立工程の簡素化を図ることができる。【選択図】図４
2010207338.tif 000002
【特許請求の範囲】
【請求項１】
調理器に設けたグリル装置の前面に形成した開口部に対して開閉可能に設置されるグリ
ル装置の前扉であって、
前記前扉は、
本体部と、前記本体部の前面の少なくとも一部を覆う前カバーと、前記本体部の前面に
設けた該前扉を手前側へ引き出す際に用いる把手部と、を備え、
前記把手部は、前記前カバーに一体形成されている
ことを特徴とするグリル装置の前扉。
【請求項２】
前記前カバーは、合成樹脂製の成型品であり、
前記把手部は、該前カバーに形成した前記本体部側に向かって窪む凹部を有してなる
ことを特徴とする請求項１に記載のグリル装置の前扉。
【発明の詳細な説明】
【技術分野】
【０００１】
本発明は、誘導加熱調理器などの各種調理器に内蔵されたグリル装置を開閉するための
前扉に関する。
【背景技術】
【０００２】
従来、例えば特許文献１に示すように、調理容器を載置する天板と、該天板の下方に配
置した調理容器を加熱する誘導加熱コイルとを備えてなる誘導加熱調理器（いわゆるＩＨ
クッキングヒーター）がある。この種の誘導加熱調理器は、ガスを使わずに大きな火力で
揚げ物や煮物あるいは焼き物などの調理が行えるため、近年、各家庭において広く普及し
ている。
【０００３】
上記のような誘導加熱調理器をはじめとする各種調理器は、魚焼きなどの調理を行うた
めのグリル装置を内蔵している。グリル装置は、グリルケース（加熱室）と、グリルケー
スの前面に設けた開口を開閉するための前扉（フロントパネル）とを備えている。前扉の
後面側には、グリルケース内を前後方向に移動することで出し入れされる受皿と、該受皿
に載置されて加熱室内に設置される食品載置用の網棚とが取り付けられている。一方、前
扉の前面には、手で握ることで前扉を前後に移動させるための把手が取り付けられている
。把手を握って手前側に引くことで、前扉を手前側に引き出すことができる。前扉が手前
側へ引き出されることにより、グリルケースの開口が開かれると共に、前扉に取り付けた
受皿及び網棚が手前側へスライド移動してグリルケースから取り出されるようになってい
る。
【先行技術文献】
【特許文献】
【０００４】
【特許文献１】特開２００３−１９００２４号公報
【発明の概要】
【発明が解決しようとする課題】
【０００５】
ところで、上記のような前扉の把手は、従来、前扉本体とは別体の把手部品を前扉の前
面に取り付けることで形成されていた。したがって、把手が前扉の前面から大きく前側に
突出した状態になっていた。しかしながら、グリル装置の前扉は、調理器の前に立った調
理者の腰辺りの高さ位置にあるのが通常である。そのため、前扉に取り付けた把手が前扉
の前面から大きく突出していると、把手が調理者の身体に接触し易くなり、調理作業の邪
魔になるおそれがあった。また、従来のグリル装置のように、把手が前扉本体と別部品で
あると、その分、前扉の部品点数が多くなる上、前扉の組立工程の数が増えるため、調理
器の製造コスト低減の妨げになるという問題もあった。
【０００６】
本発明は上述の点に鑑みてなされたものであり、その目的は、前扉の前面に設けた把手
の突出量を少なく抑えることができ、かつ、前扉の部品点数を削減できるグリル装置の前
扉を提供することにある。
【課題を解決するための手段】
【０００７】
上記課題を解決するための本発明は、調理器（１）に設けたグリル装置（２０）の前面
に形成した開口部（２３）に対して開閉可能に設置されるグリル装置（２０）の前扉（３
０）であって、前扉（３０）は、本体部（３１）と、本体部（３１）の前面（３１ａ）の
少なくとも一部を覆う前カバー（４１）と、該本体部（４１）の前面（４１ａ）に設けた
該前扉（３０）を手前側へ引き出す際に用いる把手部（４５）と、を備え、把手部（４５
）は、前カバー（４１）に一体形成されていることを特徴とする。
【０００８】
本発明にかかるグリル装置の前扉によれば、従来は前扉の本体部と別部品で構成してい
た把手部を前カバーに一体形成したので、把手部が前扉の前面から手前側へ突出する突出
量を少なく抑えることが可能となる。したがって、把手部が調理者の身体に接触し難くな
り、調理作業の邪魔にならずに済むようになる。また、把手部の突出量を少なく抑えなが
らも把手部を掴み易くすることができる。また、前扉の部品点数を少なく抑えることがで
きる。したがって、グリル装置の部品点数の削減及び組立工程の簡単化を図ることができ
、調理器の製造コストを低減できる。
【０００９】
また、上記の前扉（４０）では、前カバー（４１）は、合成樹脂製の成型品とし、把手
部（４５）は、前カバー（４１）に形成した本体部（３１）側に向かって窪む凹部（４４
）を有するようにしてよい。これによれば、従来は使用されていなかった前扉内の本体部
側の空間（隙間）を有効に活用できるようになる。これにより、前扉前面の突出量を抑え
ることができ、グリル装置の小型化を図ることができる。また、把手部が調理者の邪魔に
なることをより効果的に防止できる。
なお、上記の括弧内の符号は、後述する実施形態における構成要素の符号を本発明の一
例として示したものである。
【発明の効果】
【００１０】
本発明にかかるグリル装置の前扉によれば、該前扉の前面に設けた把手部の突出量を少
なく抑えることができ、かつ、前扉の部品点数の削減を図ることができる。
【図面の簡単な説明】
【００１１】
【図１】本発明の一実施形態にかかる誘導加熱調理器の全体構成を示す斜視図である。
【図２】前扉を示す図で、（ａ）は、正面図、（ｂ）は、斜視図である。
【図３】図２（ａ）のＡ−Ａ矢視断面図である。
【図４】前扉の分解斜視図である。
【発明を実施するための形態】
【００１２】
以下、添付図面を参照して本発明の実施形態を詳細に説明する。図１は、本発明の一実
施形態にかかるグリル装置２０を備えた誘導加熱調理器１の外観構成を示す斜視図である
。同図に示す誘導加熱調理器１は、システムキッチンなどにドロップイン方式で組み込ま
れて設置される調理器であり、略矩形状の筐体に収納された本体部１１と、本体部１１の
上面に装着された耐熱ガラスを備えてなる天板１２と、本体部１１の内部における天板１
２の下方に設置された熱源となる左右一対の誘導加熱コイル１３，１４と、それらの中央
奥側に配置されたラジエントヒーター１５とを備えている。なお、本実施形態の説明で手
前側又は奥側というときは、誘導加熱調理器１の本体部１１における前側又は後側を示し
、左右又は横方向というときは、本体部１１を手前側から見た場合の左右及び横方向を示
すものとする。
【００１３】
誘導加熱コイル１３，１４は、略円盤状の外形を有しており、天板１２の手前側の左右
にそれぞれ１個ずつ配置されている。また、天板１２の外周を囲む天板枠１２ａの前端辺
には、操作窓１７が穿孔されており、操作窓１７内には、非接触式のタッチキーで構成さ
れた操作部１７ａが配置されている。操作部１７ａには、火力キー、湯沸しキー、揚げ物
キーなどのタッチ領域が印刷により形成されている。また、天板枠１２ａの後端辺には、
左右一対の吸排気カバー１６，１６が着脱自在に装着されている。
【００１４】
本体部１１の前面１１ａにおける右側には、操作パネル１９が配置されている。操作パ
ネル１９には、シーソー式の電源スイッチ１９ａ、ランプ類１９ｂ、プッシュプッシュ式
の操作つまみ１９ｃなどが配設されている。操作つまみ１９ｃは、プッシュ操作により引
き出されることで、誘導加熱コイル１３，１４やラジエントヒーター１５や後述するグリ
ル装置２０の運転を開始できる一方、押し込まれることで、それらの運転が停止されるよ
うになっている。また、操作つまみ１９ｃを引き出し位置で回転操作することで、誘導加
熱コイル１３，１４やラジエントヒーター１５やグリル装置２０による火力や調理時間、
調理温度などの各種設定が行えるようになっている。
【００１５】
本体部１１内の左側下部には、魚などの焼物用のグリル装置２０が設けられている。グ
リル装置２０は、誘導加熱コイル１３の下側において略直方体状の箱型に形成された加熱
室２２と、加熱室２２内に設置したヒーターユニット（図示せず）とを備えている。加熱
室２２の前面には、本体部１１の前面１１ａの左側に位置する開口２３が設けられている
。開口２３は、横長の略長方形状に形成されており、該開口２３には、手前側へ引き出し
可能な前扉（フロントパネル）３０が設置されている。前扉３０の奥側には、受皿（図示
せず）が一体に取り付けられており、該受皿の上には、網棚（図示せず）が載置されてい
る。受皿と網棚は、加熱室２２内に収納されており、前扉３０の開閉に伴い加熱室２２に
対して出し入れされるようになっている。
【００１６】
図２乃至図４は、前扉３０を示す図で、図２（ａ）は、正面図、図２（ｂ）は、斜視図
、図３は、図２（ａ）のＡ−Ａ矢視断面図、図４は、分解斜視図である。これらの図に示
すように、前扉３０は、該前扉３０の本体部を構成する背板３１と、背板３１の前面３１
ａの上部に取り付けられるガラス板３５と、背板３１の前面３１ａの下部に取り付けられ
る前カバー４１と、前カバー４１の開口４６（図３参照）に取り付けられる蓋板５１の各
部品を備えて構成されている。
【００１７】
背板３１は、耐熱性を有するステンレスなどの金属材料で形成された平板状の部材で、
加熱室２２の開口２３の外形に沿う横長の略長方形状に形成されている。背板３１の中央
近傍には、横長の長方形状の貫通穴からなる透窓３２が形成されている。図３に示すよう
に、透窓３２の外周部３３は、その全周に渡って背板３１の前面側に突出する突起状に形
成されている。また、透窓３２の下側には、後述するビス４０を挿通するための貫通穴３
４が形成されている。貫通穴３４は、透窓３２の下端辺に沿って所定間隔で複数個が形成
されている。また、背板３１の上端辺に沿う位置には、手前側及び下側に向かって略Ｌ字
型に突出する突出部３１ｂが形成されている。突出部３１ｂは、背板３１の前面３１ａと
の隙間に後述するガラス板３５の上端辺３５ｃを保持するための部分である。
【００１８】
ガラス板３５は、耐熱ガラスで形成されており、背板３１の前面３１ａに当接した状態
で設置される平板状の部材で、透窓３２の外形よりも一回り大きな横長の長方形状に形成
されている。ガラス板３５の背面３５ｂは、その全体が塗料で着色された着色部３６にな
っており、着色部３６の中央付近における透窓３２に対応する位置には、塗料が塗布され
ていない透明部３７が設けられている。透明部３７は、その外形が透窓３２と略等しい形
状に形成されている。
【００１９】
前カバー４１は、合成樹脂製の成型品であり、前扉３０の前面３０ａの一部を覆うよう
に取り付けられる略平板状の部材からなる。前カバー４１は、横長の長方形状に形成され
ており、背板３１の前面３１ａの下側略半分を覆うように、幅寸法が背板３１の幅寸法に
等しくなっており、高さ寸法が背板３１の略半分の寸法になっている。図３に示すように
、前カバー４１の断面形状は、上段側に配置されて手前側に突出している上段部４２と、
下段側に配置されて奥側に窪んでいる下段部４３とを備えた形状になっている。上段部４
２の下端４２ａと下段部４３の上端４３ａは、前後方向で段違いに配置されており、上段
部４２の下端４２ａと下段部４３の上端４３ａとの隙間には、手を差し入れて握るための
把手部４５が形成されている。すなわち、上段部４２は、前カバー４１の上端辺４１ｃか
ら下側に向かって庇状に延びており、その途中が手前側に凸となるように若干湾曲しなが
ら突出している。これにより、上段部４２の後側には手を差し込むための凹部４４が形成
されている。一方、下段部４３は、凹部４４の奥側の面を形成するもので、奥側に凸とな
るように若干湾曲しながら上方へ延びている。
【００２０】
前カバー４１の凹部４４の奥側には、横長の長方形状の開口４６が形成されており、該
開口４６の後面側には、蓋板５１が取り付けられている。蓋板５１は、合成樹脂製の成型
品で、開口を４６塞ぐ横長の長方形状に形成されている。図４に示すように、蓋板５１に
は、後述するボルト４０を挿通するための貫通穴５４が形成されている。また、蓋板５１
の上下端辺には、蓋板５１を前カバー４１の後面に固定するためのボルト（図示せず）を
挿通するための貫通穴５２が形成されている。貫通穴５２は、蓋板５１の上端辺と下端辺
に沿って所定間隔で複数個が形成されている。
【００２１】
次に、前扉３０の組立手順について説明する。前扉３０を組み立てるには、まず、前カ
バー４１の開口４６に蓋板５１を取り付ける。蓋板５１の取り付けは、図示しないボルト
の締結で行う。続いて、背板３１の前面３１ａにおける透窓３２に対応する位置にガラス
板３５を取り付け、透窓３２の下側に前カバー４１を取り付ける。前カバー４１の背板３
１への固定は、ビス４０の締結によって行う。この状態で、ガラス板３５の上端辺３５ｃ
が背板３１の突出部３１ｂと前面３１ａとの隙間に保持され、ガラス板３５の下端辺３５
ｄが透窓３２の下側の外周部３３と前カバー４１の上端辺４１ｃとの隙間に保持される。
これにより、ガラス板３５が背板３１の前面３０ａに固定される。以上により、前扉の組
立が完了する。
【００２２】
前扉３０の使用においては、図３に示すように、前カバー４１の把手部４５に形成した
凹部４４に手を差し込むことで、上段部４２の下端４２ａを手で握る。その状態で把手部
４５を手前側に引けば、前扉３０を手前側に引き出すことができ、加熱室２２の開口２３
を開いて受皿及び網棚を加熱室２２から取り出すことができる。
【００２３】
本実施形態のグリル装置２０が備える前扉３０では、前扉３０の前面３０ａの一部を覆
っている前カバー４１に把手部４５を一体形成している。したがって、従来のように前扉
の本体部とは別部品で構成していた把手を備える場合と比較して、前扉３０の前面３０ａ
から突出する把手部４５の突出量を少なく抑えることができる。特に、把手部４５は、前
扉３０の背板３１（本体部）側に向かって窪む凹部４４を有しているので、把手部４５の
突出量をより少なく抑えることができる。また、従来は使用していなかった前扉３０内部
の空間（背板３１内の隙間）を有効に活用できるようになる。これにより、グリル装置２
０の小型化（前扉３０の突出寸法の小型化）を図ることができる。
【００２４】
また、本実施形態のグリル装置２０が備える前扉３０では、把手部４５が前カバー４１
に一体形成されているので、その分、前扉３０の部品点数を少なく抑えることができる。
したがって、グリル装置２０の部品点数の削減、及び組立工程の簡素化を図ることができ
るので、誘導加熱調理器１の製造コストの低減を図ることができる。
【００２５】
以上本発明の実施形態を説明したが、本発明は上記実施形態に限定されるものではなく
、特許請求の範囲、及び明細書と図面に記載された技術的思想の範囲内において種々の変
形が可能である。なお直接明細書及び図面に記載のない何れの形状・構造・材質であって
も、本願発明の作用・効果を奏する以上、本願発明の技術的思想の範囲内である。
【符号の説明】
【００２６】
１            誘導加熱調理器（調理器）
１１          本体部
２０          グリル装置
２２          加熱室
２３          開口
３０          前扉（フロントパネル）
３０ａ        前面
３１          背板（本体部）
３１ａ        前面
３２          透窓
３５          ガラス板
４１          前カバー
４１ａ        前面
４２          上段部
４３          下段部
４４          凹部
４５          把手部
５１          蓋板
【図１】
2010207338.tif 000003
【図２】
2010207338.tif 000004
【図３】
2010207338.tif 000005
【図４】
2010207338.tif 000006